(57)【要約】【課題】  固定テープの巻き付けによる電極板等のめくれが発生していない積層型の電極体を有する二次電池の製造方法および二次電池を提供すること。【解決手段】  固定工程では，固定テープを，電極体の積層方向の両端の第１の端面上および第２の端面上にわたって，電極体の第１の側面上と，第１の側面の裏面である第２の側面上とに，電極体の外側から巻き付ける。固定工程前の積層工程では，電極体を構成するとともに，少なくとも電極体の第１および第２の側面における固定テープの巻き付け方向の下流側の角部に，その角部を保護する保護部材を配置しておく。【選択図】図２
2016091664.tif 000002
【特許請求の範囲】
【請求項１】
正極板および負極板をこれらの間にセパレータを挟み込みつつ積層してなる積層型の電極体と，
前記電極体の外側に巻き付けられ，前記電極体の変形を防止する固定テープと，
前記固定テープが巻き付けられている前記電極体を電解液とともに内部に収容する電池ケースとを有する二次電池の製造方法において，
前記正極板，前記負極板，前記セパレータを積層して前記電極体を構成するとともに，前記電極体の少なくとも外周面上に前記正極板，前記負極板，前記セパレータのいずれよりも曲げ強度の高い保護部材を配置する積層工程と，
前記固定テープを少なくとも，前記電極体の積層方向の両端に位置する第１の端面上および第２の端面上にわたって，前記電極体の前記第１の端面および前記第２の端面に隣接する第１の側面上と，前記第１の側面の裏面である第２の側面上とに，前記電極体の前記保護部材が配置されている箇所に外側から巻き付けて固定する固定工程と，
前記固定テープの巻き付けられた前記電極体および前記電解液を前記電池ケースの内部に収容する収容工程とを有し，
前記積層工程では，前記保護部材を少なくとも，
前記電極体の前記第１の端面および前記第１の側面が交わる第１の角部における，前記第１の端面上および前記第１の側面上の少なくとも一方と，
前記電極体の前記第２の端面および前記第２の側面が交わる第２の角部における，前記第２の端面上および前記第２の側面上の少なくとも一方とに配置し，
前記固定工程では，前記固定テープを，
前記電極体の前記第１の側面上に，前記第２の端面から前記第１の端面に向けて巻き付けるとともに，
前記電極体の前記第２の側面上に，前記第１の端面から前記第２の端面に向けて巻き付けることを特徴とする二次電池の製造方法。
【請求項２】
正極板および負極板をこれらの間にセパレータを挟み込みつつ積層してなる積層型の電極体と，
前記電極体の外側に巻き付けられ，前記電極体の変形を防止する固定テープと，
前記固定テープが巻き付けられている前記電極体を電解液とともに内部に収容する電池ケースとを有する二次電池の製造方法において，
前記正極板，前記負極板，前記セパレータを積層して前記電極体を構成するとともに，前記電極体の少なくとも外周面上に前記正極板，前記負極板，前記セパレータのいずれよりも曲げ強度の高い保護部材を配置する積層工程と，
前記固定テープを少なくとも，前記電極体の積層方向の両端に位置する第１の端面上および第２の端面上にわたって，前記電極体の前記第１の端面および前記第２の端面に隣接する第１の側面上と，前記第１の側面の裏面である第２の側面上とに，前記電極体の前記保護部材が配置されている箇所に外側から巻き付けて固定する固定工程と，
前記固定テープの巻き付けられた前記電極体および前記電解液を前記電池ケースの内部に収容する収容工程とを有し，
前記積層工程では，前記保護部材を少なくとも，
前記電極体の前記第１の端面および前記第１の側面が交わる第１の角部における，前記第１の端面上および前記第１の側面上の少なくとも一方と，
前記電極体の前記第１の角部の前記第１の端面について対向する第２の角部における，前記第１の端面上および前記第２の側面上の少なくとも一方とに配置し，
前記固定工程では，前記固定テープを，
前記電極体の前記第１の側面上に，前記第２の端面から前記第１の端面に向けて巻き付けるとともに，
前記電極体の前記第２の側面上に，前記第２の端面から前記第１の端面に向けて巻き付けることを特徴とする二次電池の製造方法。
【請求項３】
請求項１または請求項２に記載の二次電池の製造方法において，
前記保護部材として，前記電極体に配置された状態では，
前記電極体の前記第１の側面上に位置する第１の側面部と，
前記電極体の前記第２の側面上に位置する第２の側面部と，
前記電極体の積層の間に位置し，両端がそれぞれ前記第１の側面部および前記第２の側面部に繋がっている積層部とを有し，
前記第１の側面部が，前記積層部の前記第１の側面の側の端から前記第１の角部まで延びており，
前記第２の側面部が，前記積層部の前記第２の側面の側の端から前記第２の角部まで延びているものを用いることを特徴とする二次電池の製造方法。
【請求項４】
請求項１に記載の二次電池の製造方法において，
前記保護部材として，
前記電極体の前記第１の端面に積層により配置される第１の端面保護部材と
前記電極体の前記第２の端面に積層により配置される第２の端面保護部材とを用い，
前記第１の端面保護部材は，前記電極体に配置された状態では，少なくとも前記第１の側面まで延びる第１の保護部を有するものであり，
前記第２の端面保護部材は，前記電極体に配置された状態では，少なくとも前記第２の側面まで延びる第２の保護部を有するものであることを特徴とする二次電池の製造方法。
【請求項５】
請求項２に記載の二次電池の製造方法において，
前記保護部材として，
前記電極体の前記第１の端面に積層により配置される端面保護部材を用い，
前記端面保護部材は，前記電極体に配置された状態では，少なくとも前記第１の側面まで延びる第１の保護部と，少なくとも前記第２の側面まで延びる第２の保護部とを有するものであることを特徴とする二次電池の製造方法。
【請求項６】
請求項４または請求項５に記載の二次電池の製造方法において，
前記保護部材が前記電極体に配置された状態では，
前記第１の保護部は，前記第１の側面よりも外側に向けて突出するものであり，
前記第２の保護部は，前記第２の側面よりも外側に向けて突出するものであることを特徴とする二次電池の製造方法。
【請求項７】
請求項４に記載の二次電池の製造方法において，
前記第１の端面保護部材は，前記電極体に配置された状態では，
前記第１の保護部が前記第１の側面よりも外側に向けて突出するものであるとともに，前記第２の側面よりも外側に向けて突出する第１の突出部を有するものであり，
前記第２の端面保護部材は，前記電極体に配置された状態では，
前記第２の保護部が前記第２の側面よりも外側に向けて突出するものであるとともに，前記第１の側面よりも外側に向けて突出する第２の突出部を有するものであることを特徴とする二次電池の製造方法。
【請求項８】
請求項１から請求項７のいずれかに記載の二次電池の製造方法において，
前記電池ケースとして，開口が形成されているケース本体と，前記ケース本体の前記開口を塞ぐ封口部材とを有するものを用い，
前記保護部材として，前記電極体に配置された状態では，前記電極体の前記第１の端面および前記第２の端面に隣接する側面のうちの１の側面より突出する押圧部を有するものを用い，
前記収容工程では，
前記電極体における前記保護部材の前記押圧部が突出している側面とは反対の側面を前記ケース本体の前記開口に向けつつ，前記押圧部を前記ケース本体の内部に向けて押し付けることで，前記電極体を前記ケース本体の開口よりその内部に収容し，
前記電極体が内部に収容されたケース本体の開口を，前記封口部材により塞ぐことを特徴とする二次電池の製造方法。
【請求項９】
正極板および負極板をこれらの間にセパレータを挟み込みつつ積層してなる積層型の電極体と，
前記電極体の外側に巻き付けられ，前記電極体の変形を防止する固定テープと，
前記固定テープが巻き付けられている前記電極体を電解液とともに内部に収容する電池ケースとを有する二次電池において，
前記固定テープと前記電極体との間に位置し，前記正極板，前記負極板，前記セパレータのいずれよりも曲げ強度の高い保護部材を有し，
前記固定テープは少なくとも，
前記電極体の積層方向の両端に位置する第１の端面上および第２の端面上にわたって，前記電極体の前記第１の端面および前記第２の端面に隣接する第１の側面上と，前記第１の側面の裏面である第２の側面上とに，外側から巻き付けられているものであり，
前記保護部材は少なくとも，
前記電極体の前記第１の端面および前記第１の側面が交わる第１の角部における，前記第１の端面および前記第１の側面の少なくとも一方と前記固定テープとの間と，
前記電極体の前記第１の角部の前記第１の端面について対向する第２の角部における，前記第１の端面および前記第２の側面の少なくとも一方と前記固定テープとの間，または，前記電極体の前記第２の角部の前記第２の側面について対向する第３の角部における，前記第２の端面および前記第２の側面の少なくとも一方と前記固定テープとの間とに配置されているものであることを特徴とする二次電池。
【請求項１０】
請求項９に記載の二次電池において，
前記保護部材は，
前記電極体の前記第１の側面上に位置する第１の側面部と，
前記電極体の前記第２の側面上に位置する第２の側面部と，
前記電極体の積層の間に位置し，両端がそれぞれ前記第１の側面部および前記第２の側面部に繋がっている積層部とを有し，
前記第１の側面部は，前記積層部の前記第１の側面の側の端から前記第１の角部まで延びているものであり，
前記第２の側面部は，前記積層部の前記第２の側面の側の端から前記第２の角部または前記第３の角部まで延びているものであることを特徴とする二次電池。
【請求項１１】
請求項９に記載の二次電池において，
前記保護部材として，
前記電極体の前記第１の端面に積層されている第１の端面保護部材と
前記電極体の前記第２の端面に積層されている第２の端面保護部材とを有し，
前記第１の端面保護部材は，少なくとも前記第１の側面まで延びる第１の保護部を有するものであり，
前記第２の端面保護部材は，少なくとも前記第２の側面まで延びる第２の保護部を有するものであることを特徴とする二次電池。
【請求項１２】
請求項９に記載の二次電池において，
前記保護部材として，
前記電極体の前記第１の端面に積層されている端面保護部材を有し，
前記端面保護部材は，少なくとも前記第１の側面まで延びる第１の保護部と，少なくとも前記第２の側面まで延びる第２の保護部とを有するものであることを特徴とする二次電池。
【請求項１３】
請求項１１または請求項１２に記載の二次電池において，
前記第１の保護部は，前記第１の側面よりも外側に向けて突出しているものであり，
前記第２の保護部は，前記第２の側面よりも外側に向けて突出しているものであることを特徴とする二次電池。
【請求項１４】
請求項１１に記載の二次電池において，
前記第１の端面保護部材は，
前記第１の保護部が前記第１の側面よりも外側に向けて突出しているものであるとともに，前記第２の側面よりも外側に向けて突出する第１の突出部を有するものであり，
前記第２の端面保護部材は，
前記第２の保護部が前記第２の側面よりも外側に向けて突出しているものであるとともに，前記第１の側面よりも外側に向けて突出する第２の突出部を有するものであることを特徴とする二次電池。
【請求項１５】
請求項９から請求項１４のいずれかに記載の二次電池において，
前記電池ケースは，開口が形成されているケース本体と，前記ケース本体の前記開口を塞いでいる封口部材とを有し，
前記保護部材は，前記電極体の前記第１の端面および前記第２の端面に隣接する側面のうちの１の側面より突出する押圧部を有し，
前記電極体は，前記電池ケース内部に，前記保護部材の前記押圧部が突出している側面を，前記封口部材の側に向けて収容されていることを特徴とする二次電池。
【発明の詳細な説明】
【技術分野】
【０００１】
本発明は，二次電池の製造方法および二次電池に関する。さらに詳細には，正負の電極板を，これらの間にセパレータを挟み込みつつ積層してなる積層型の電極体を有する二次電池の製造方法および二次電池に関する。
【背景技術】
【０００２】
積層型の電極体は，両面にそれぞれ活物質層を形成してなる正負の電極板を，これらの間にセパレータを挟み込みつつ積層することにより製造される。このような積層型の電極体においては，電極板やセパレータの互いの位置が積層方向に直交する面内においてズレてしまう位置ズレが生じやすい。このため，積層型の電極体では，その位置ズレが適切に抑制されていることが好ましい。
【０００３】
例えば，特許文献１には，正極電極，負極電極，セパレータの積層体である電極組立体（積層型の電極体）の外周に固定部材としてのシート部材が巻き付けられており，これをケース内に収容してなる蓄電装置が開示されている。また，特許文献１においては，シート部材を，そのつなぎ目が電極組立体の側面に位置するように巻き付けている。これにより，電極組立体の積層方向に荷重がかけられた場合にも，その荷重が電極組立体に均一にかかるため，蓄電装置の性能の低下を抑制することができるとされている。
【先行技術文献】
【特許文献】
【０００４】
【特許文献１】特開２０１４−４１７２４号公報
【発明の概要】
【発明が解決しようとする課題】
【０００５】
しかしながら，上記の従来技術では，電極体を固定する固定シートを電極体に巻き付ける際に，電極体の角部の付近において，電極板やセパレータがめくれてしまうことがあった。このような電極体におけるめくれは，特に，負極板として正極板よりも面積の大きなものを用いるとともに，その負極を積層方向の端の位置に積層した電極体において生じ易い。そして，二次電池において，電極体のめくれが発生してしまった箇所では当然，適切な充放電反応が生じないこととなる。これにより，十分な性能を発揮することのできる二次電池を安定して製造することができないという問題があった。
【０００６】
本発明は，前記した従来の技術が有する問題点の解決を目的としてなされたものである。すなわちその課題とするところは，固定テープの巻き付けによる電極板等のめくれが発生していない積層型の電極体を有する二次電池の製造方法および二次電池を提供することである。
【課題を解決するための手段】
【０００７】
この課題の解決を目的としてなされた本発明の一態様における二次電池の製造方法は，正極板および負極板をこれらの間にセパレータを挟み込みつつ積層してなる積層型の電極体と，電極体の外側に巻き付けられ，電極体の変形を防止する固定テープと，固定テープが巻き付けられている電極体を電解液とともに内部に収容する電池ケースとを有する二次電池の製造方法であって，正極板，負極板，セパレータを積層して電極体を構成するとともに，電極体の少なくとも外周面上に正極板，負極板，セパレータのいずれよりも曲げ強度の高い保護部材を配置する積層工程と，固定テープを少なくとも，電極体の積層方向の両端に位置する第１の端面上および第２の端面上にわたって，電極体の第１の端面および第２の端面に隣接する第１の側面上と，第１の側面の裏面である第２の側面上とに，電極体の保護部材が配置されている箇所に外側から巻き付けて固定する固定工程と，固定テープの巻き付けられた電極体および電解液を電池ケースの内部に収容する収容工程とを有し，積層工程では，保護部材を少なくとも，電極体の第１の端面および第１の側面が交わる第１の角部における，第１の端面上および第１の側面上の少なくとも一方と，電極体の第２の端面および第２の側面が交わる第２の角部における，第２の端面上および第２の側面上の少なくとも一方とに配置し，固定工程では，固定テープを，電極体の第１の側面上に，第２の端面から第１の端面に向けて巻き付けるとともに，電極体の第２の側面上に，第１の端面から第２の端面に向けて巻き付けることを特徴とする二次電池の製造方法である。
【０００８】
この二次電池の製造方法では，電極体の第１の側面上について，保護部材を第１の角部における第１の端面上および第１の側面上の少なくとも一方に配置した状態で，固定テープが第２の端面から第１の端面に向けて巻き付けられる。また，電極体の第２の側面上について，保護部材を第２の角部における第２の端面上および第２の側面上の少なくとも一方に配置した状態で，固定テープが第１の端面から第２の端面に向けて巻き付けられる。このため，固定テープの巻き付けの際に，電極体の第１および第２の角部において，電極板等が積層方向の外側に向けて曲げられることがない。よって，固定テープの巻き付けによる電極板等のめくれが発生していない積層型の電極体を有する二次電池を製造することができる。
【０００９】
また本発明の他の態様における二次電池の製造方法は，正極板および負極板をこれらの間にセパレータを挟み込みつつ積層してなる積層型の電極体と，電極体の外側に巻き付けられ，電極体の変形を防止する固定テープと，固定テープが巻き付けられている電極体を電解液とともに内部に収容する電池ケースとを有する二次電池の製造方法であって，正極板，負極板，セパレータを積層して電極体を構成するとともに，電極体の少なくとも外周面上に正極板，負極板，セパレータのいずれよりも曲げ強度の高い保護部材を配置する積層工程と，固定テープを少なくとも，電極体の積層方向の両端に位置する第１の端面上および第２の端面上にわたって，電極体の第１の端面および第２の端面に隣接する第１の側面上と，第１の側面の裏面である第２の側面上とに，電極体の保護部材が配置されている箇所に外側から巻き付けて固定する固定工程と，固定テープの巻き付けられた電極体および電解液を電池ケースの内部に収容する収容工程とを有し，積層工程では，保護部材を少なくとも，電極体の第１の端面および第１の側面が交わる第１の角部における，第１の端面上および第１の側面上の少なくとも一方と，電極体の第１の角部の第１の端面について対向する第３の角部における，第１の端面上および第２の側面上の少なくとも一方とに配置し，固定工程では，固定テープを，電極体の第１の側面上に，第２の端面から第１の端面に向けて巻き付けるとともに，電極体の第２の側面上に，第２の端面から第１の端面に向けて巻き付けることを特徴とする二次電池の製造方法である。なお，この二次電池の製造方法について，特許請求の範囲においては第２の角部としているものを，第３の角部としている。上記の二次電池の製造方法における第２の角部との区別のためである。
【００１０】
この二次電池の製造方法では，電極体の第１の側面上について，保護部材を第１の角部における第１の端面上および第１の側面上の少なくとも一方に配置した状態で，固定テープが第２の端面から第１の端面に向けて巻き付けられる。また，電極体の第２の側面上について，保護部材を第３の角部における第１の端面上および第２の側面上の少なくとも一方に配置した状態で，固定テープが第２の端面から第１の端面に向けて巻き付けられる。このため，固定テープの巻き付けの際に，電極体の第１および第３の角部において，電極板等が積層方向の外側に向けて曲げられることがない。よって，固定テープの巻き付けによる電極板等のめくれが発生していない積層型の電極体を有する二次電池を製造することができる。
【００１１】
また上記に記載の二次電池の製造方法において，保護部材として，電極体に配置された状態では，電極体の第１の側面上に位置する第１の側面部と，電極体の第２の側面上に位置する第２の側面部と，電極体の積層の間に位置し，両端がそれぞれ第１の側面部および第２の側面部に繋がっている積層部とを有し，第１の側面部が，積層部の第１の側面の側の端から第１の角部まで延びており，第２の側面部が，積層部の第２の側面の側の端から第２の角部（または第３の角部）まで延びているものを用いることが好ましい。固定テープの巻き付けにより電極板等のめくれが発生しやすい電極体の角部において，その角部における側面と固定テープとの間に，電極板等よりも曲げ強度の高い保護部材の第１および第２の側面部が配置されているからである。これにより，固定テープの巻き付けによる電極板等のめくれを発生させずに固定工程を行うことができる。
【００１２】
また上記に記載の二次電池の製造方法において，保護部材として，電極体の第１の端面に積層により配置される第１の端面保護部材と電極体の第２の端面に積層により配置される第２の端面保護部材とを用い，第１の端面保護部材は，電極体に配置された状態では，少なくとも第１の側面まで延びる第１の保護部を有するものであり，第２の端面保護部材は，電極体に配置された状態では，少なくとも第２の側面まで延びる第２の保護部を有するものであることが好ましい。固定テープの巻き付けにより電極板等のめくれが発生しやすい電極体の角部において，その角部における端面と固定テープとの間に，電極板等よりも曲げ強度の高い保護部材の第１および第２の保護部が配置されているからである。これにより，固定テープの巻き付けによる電極板等のめくれを発生させずに固定工程を行うことができる。
【００１３】
また上記に記載の二次電池の製造方法において，保護部材として，電極体の第１の端面に積層により配置される端面保護部材を用い，端面保護部材は，電極体に配置された状態では，少なくとも第１の側面まで延びる第１の保護部と，少なくとも第２の側面まで延びる第２の保護部とを有するものであることが好ましい。固定テープの巻き付けにより電極板等のめくれが発生しやすい電極体の角部において，その角部における端面と固定テープとの間に，電極板等よりも曲げ強度の高い保護部材の第１および第２の保護部が配置されているからである。これにより，固定テープの巻き付けによる電極板等のめくれを発生させずに固定工程を行うことができる。
【００１４】
また上記に記載の二次電池の製造方法において，保護部材が電極体に配置された状態では，第１の保護部は，第１の側面よりも外側に向けて突出するものであり，第２の保護部は，第２の側面よりも外側に向けて突出するものであることが好ましい。固定テープの巻き付けにより電極板等のめくれが発生しやすい電極体の角部において，その角部における側面と固定テープとの間に隙間を形成しつつ固定工程を行うことができるからである。
【００１５】
また上記に記載の二次電池の製造方法において，第１の端面保護部材は，電極体に配置された状態では，第１の保護部が第１の側面よりも外側に向けて突出するものであるとともに，第２の側面よりも外側に向けて突出する第１の突出部を有するものであり，第２の端面保護部材は，電極体に配置された状態では，第２の保護部が第２の側面よりも外側に向けて突出するものであるとともに，第１の側面よりも外側に向けて突出する第２の突出部を有するものであることが好ましい。電極体の両端面に位置する保護部材が電極体の両側面より突出しているため，収容工程において，保護部材により，電池ケース内における電極体の位置決めを正確に行うことができるからである。
【００１６】
また上記に記載の二次電池の製造方法において，電池ケースとして，開口が形成されているケース本体と，ケース本体の開口を塞ぐ封口部材とを有するものを用い，保護部材として，電極体に配置された状態では，電極体の第１の端面および第２の端面に隣接する側面のうちの１の側面より突出する押圧部を有するものを用い，収容工程では，電極体における保護部材の押圧部が突出している側面とは反対の側面をケース本体の開口に向けつつ，押圧部をケース本体の内部に向けて押し付けることで，電極体をケース本体の開口よりその内部に収容し，電極体が内部に収容されたケース本体の開口を，封口部材により塞ぐことが好ましい。電極体を，保護部材の押圧部を押し付けることにより電池ケース内に収容することができるため，収容時の押し付けによる電極体の電極板等のつぶれを抑制することができるからである。
【００１７】
また本発明の他の態様における二次電池は，正極板および負極板をこれらの間にセパレータを挟み込みつつ積層してなる積層型の電極体と，電極体の外側に巻き付けられ，電極体の変形を防止する固定テープと，固定テープが巻き付けられている電極体を電解液とともに内部に収容する電池ケースとを有する二次電池であって，固定テープと電極体との間に位置し，正極板，負極板，セパレータのいずれよりも曲げ強度の高い保護部材を有し，固定テープは少なくとも，電極体の積層方向の両端に位置する第１の端面上および第２の端面上にわたって，電極体の第１の端面および第２の端面に隣接する第１の側面上と，第１の側面の裏面である第２の側面上とに，外側から巻き付けられているものであり，保護部材は少なくとも，電極体の第１の端面および第１の側面が交わる第１の角部における，第１の端面および第１の側面の少なくとも一方と固定テープとの間と，電極体の第１の角部の第１の端面について対向する第２の角部における，第１の端面および第２の側面の少なくとも一方と固定テープとの間，または，電極体の第２の角部の第２の側面について対向する第３の角部における，第２の端面および第２の側面の少なくとも一方と固定テープとの間とに配置されているものであることを特徴とする二次電池である。
【００１８】
本発明の二次電池では，固定テープの巻き付けにより電極板等のめくれが発生しやすい電極体の角部おいて，電極体と固定テープとの間に保護部材が配置されている。これにより，固定テープの巻き付けによる電極板等のめくれが発生していない積層型の電極体を有する二次電池とされている。
【００１９】
また上記に記載の二次電池において，保護部材は，電極体の第１の側面上に位置する第１の側面部と，電極体の第２の側面上に位置する第２の側面部と，電極体の積層の間に位置し，両端がそれぞれ第１の側面部および第２の側面部に繋がっている積層部とを有し，第１の側面部は，積層部の第１の側面の側の端から第１の角部まで延びているものであり，第２の側面部は，積層部の第２の側面の側の端から第２の角部または第３の角部まで延びているものであることが好ましい。固定テープの巻き付けにより電極板等のめくれが発生しやすい電極体の角部において，その角部における側面と固定テープとの間に電極板等よりも曲げ強度の高い保護部材の第１および第２の側面部が配置されているからである。これにより，固定テープの巻き付けによる電極板等のめくれが発生していない積層型の電極体を有する二次電池とされている。
【００２０】
また上記に記載の二次電池において，保護部材として，電極体の第１の端面に積層されている第１の端面保護部材と電極体の第２の端面に積層されている第２の端面保護部材とを有し，第１の端面保護部材は，少なくとも第１の側面まで延びる第１の保護部を有するものであり，第２の端面保護部材は，少なくとも第２の側面まで延びる第２の保護部を有するものであることが好ましい。固定テープの巻き付けにより電極板等のめくれが発生しやすい電極体の角部において，その角部における端面と固定テープとの間に，電極板等よりも曲げ強度の高い保護部材の第１および第２の保護部が配置されているからである。これにより，固定テープの巻き付けによる電極板等のめくれが発生していない積層型の電極体を有する二次電池とされている。
【００２１】
また上記に記載の二次電池において，保護部材として，電極体の第１の端面に積層されている端面保護部材を有し，端面保護部材は，少なくとも第１の側面まで延びる第１の保護部と，少なくとも第２の側面まで延びる第２の保護部とを有するものであることが好ましい。固定テープの巻き付けにより電極板等のめくれが発生しやすい電極体の角部において，その角部における端面と固定テープとの間に，電極板等よりも曲げ強度の高い保護部材の第１および第２の保護部が配置されているからである。これにより，固定テープの巻き付けによる電極板等のめくれが発生していない積層型の電極体を有する二次電池とされている。
【００２２】
また上記に記載の二次電池において，第１の保護部は，第１の側面よりも外側に向けて突出しているものであり，第２の保護部は，第２の側面よりも外側に向けて突出しているものであることが好ましい。固定テープの巻き付けにより電極板等のめくれが発生しやすい電極体の角部において，その角部における側面と固定テープとの間に隙間を形成させることができるからである。これにより，固定テープの巻き付けによる電極板等のめくれが発生していない積層型の電極体を有する二次電池とされている。
【００２３】
また上記に記載の二次電池において，第１の端面保護部材は，第１の保護部が第１の側面よりも外側に向けて突出しているものであるとともに，第２の側面よりも外側に向けて突出する第１の突出部を有するものであり，第２の端面保護部材は，第２の保護部が第２の側面よりも外側に向けて突出しているものであるとともに，第１の側面よりも外側に向けて突出する第２の突出部を有するものであることが好ましい。電極体の両端面に位置する保護部材が電極体の両側面より突出しているため，その保護部材により，電池ケース内における電極体の位置決めが正確になされているからである。
【００２４】
また上記に記載の二次電池において，電池ケースは，開口が形成されているケース本体と，ケース本体の開口を塞いでいる封口部材とを有し，保護部材は，電極体の第１の端面および第２の端面に隣接する側面のうちの１の側面より突出する突出部を有し，電極体は，電池ケース内部に，保護部材の突出部が突出している側面を，封口部材の側に向けて収容されていることが好ましい。電極体が，保護部材の突出部を押し付けることにより電池ケース内に収容されているため，電極体の電極板等のつぶれが抑制されているからである。
【発明の効果】
【００２５】
本発明によれば，固定テープの巻き付けによる電極板等のめくれが発生していない積層型の電極体を有する二次電池の製造方法および二次電池が提供されている。
【図面の簡単な説明】
【００２６】
【図１】第１の形態に係る電池の断面図である。
【図２】第１の形態に係る電極体の斜視図である。
【図３】電極体を構成する正極板，負極板，セパレータについて説明するための図である。
【図４】第１の形態に係る電極体の固定テープの位置における断面図である。
【図５】電極体の電池ケース内への収容方法を説明するための図である。
【図６】第２の形態に係る電極体の斜視図である。
【図７】第２の形態に係る電極体の固定テープの位置における断面図である。
【図８】第３の形態に係る電極体の斜視図である。
【図９】第３の形態に係る電極体の固定テープの位置における断面図である。
【図１０】第１の形態の固定テープの変形例について説明するための図である。
【図１１】第２の形態の固定テープの変形例について説明するための図である。
【図１２】本発明の１つの変形例について説明するための図である。
【図１３】本発明の図１２とは異なる変形例について説明するための図である。
【発明を実施するための形態】
【００２７】
以下，本発明を具体化した最良の形態について，図面を参照しつつ詳細に説明する。本形態は，リチウムイオン二次電池について本発明を適用したものである。
【００２８】
［第１の形態］
第１の形態に係る電池１００（図１参照）について説明する。図１は，本形態に係る電池１００の断面図である。電池１００は，図１に示すように，電極体１１０および電解液１０１を電池ケース１０２の内部に収容してなるリチウムイオン二次電池である。電解液１０１は，リチウム塩を溶解させた有機溶剤よりなるものである。電池ケース１０２は，ケース本体１０３と封口部材１０４とを備えている。また，封口部材１０４は，絶縁部材１０５を備えている。
【００２９】
図２は，電極体１１０の斜視図である。図３は，電極体１１０を構成する正極板１２０，負極板１３０，セパレータ１４０を示す図である。図３に示すように，正極板１２０は，正極集電箔１２１の両面に，正極活物質やバインダーなどの正極材料によって正極活物質層１２２を形成してなるものである。また，正極板１２０は，その他の部分よりも上向きに突出している正極タブ１２３を有している。正極板１２０の正極タブ１２３の部分については，正極活物質層１２２が形成されておらず，正極集電箔１２１が露出している。
【００３０】
負極板１３０は，負極集電箔１３１の両面に，負極活物質やバインダーなどの負極材料によって負極活物質層１３２を形成してなるものである。また，負極板１３０は，その他の部分よりも上向きに突出している負極タブ１３３を有している。負極板１３０の負極タブ１３３の部分については，負極活物質層１３２が形成されておらず，負極集電箔１３１が露出している。また，セパレータ１４０は，シート状の多孔質部材である。
【００３１】
そして，図２に示す電極体１１０は，正極板１２０および負極板１３０を，間にセパレータ１４０を挟み込みつつ平積みにより複数積層してなる積層型の電極体である。なお，電極体１１０においては，正極タブ１２３および負極タブ１３３がそれぞれ，上向きに突出している。
【００３２】
また，図２に示すように，電極体１１０には，保護部材１５０が組み付けられている。保護部材１５０は，積層部１５１と，側面部１５３，１５４とを有している。積層部１５１は，電極体１１０の積層の間に挟み込まれている部分であり，電極体１１０の左右方向に延びている。
【００３３】
また，保護部材１５０の側面部１５３は，電極体１１０の積層方向の両端面１１１，１１２に隣接する右側の側面１１３上に位置する部分である。側面部１５４は，電極体１１０の側面１１３の裏面である側面１１４上に位置する部分である。保護部材１５０のうち，少なくとも側面部１５３，１５４については，正極板１２０，負極板１３０，セパレータ１４０のいずれよりも曲げ強度の高いものである。さらに，本形態の保護部材１５０は，図２に示すように，電極体１１０の正極タブ１２３および負極タブ１３３を除いた上側の側面よりも上向きに長さＸだけ突出している押圧部１５２を有している。
【００３４】
さらに，電極体１１０には，保護部材１５０が組み付けられた状態で，固定テープ１６０が巻き付けられている。固定テープ１６０は，その巻き付けによる拘束力により，電極体１１０における正極板１２０，負極板１３０，セパレータ１４０の位置ズレを防止するためのものである。本形態の固定テープ１６０は，図２に矢印Ａで示す向きに，電極体１１０の外側より１周，巻き付けられたものである。なお，固定テープ１６０の端部は，電極体１１０の側面１１３上において接合されている。
【００３５】
そして，図１に示す電池１００において，電極体１１０の正極タブ１２３を束ねた箇所には正極端子１２４が，負極タブ１３３を束ねた箇所には負極端子１３４が接続されている。また，正極端子１２４および負極端子１３４は，それぞれ電極体１１０と接続されていない側の端を，絶縁部材１０５を介し，電池ケース１０２の外部に突出させている。そして，電池１００は，正極端子１２４および負極端子１３４を介し，電極体１１０において，充電および放電を行うものである。具体的に，電池１００は，充放電時において，電極体１１０の正極板１２０と負極板１３０との間で，多孔質部材であるセパレータ１４０の細孔に保持されている電解液１０１を介してリチウムイオンの授受を行う。
【００３６】
次に，本形態の電池１００の製造方法について説明する。電池１００は，以下に示す手順により，製造することができる。
１．積層工程
２．固定工程
３．収容工程
【００３７】
「１．積層工程」では，それぞれ予め製造された正極板１２０，負極板１３０，セパレータ１４０を積層することにより電極体１１０を構成する。また，積層工程では，保護部材１５０の電極体１１０への組み付けも行う。保護部材１５０の組み付けは，予め正極板１２０，負極板１３０，セパレータ１４０が複数積層されてなる２つの積層体を，保護部材１５０の積層部１５１を挟み込むように配置することにより行うことができる。あるいは，保護部材１５０の積層部１５１の両面にそれぞれ，正極板１２０，負極板１３０，セパレータ１４０を複数積層してもよい。これにより，電極体１１０と保護部材１５０との組み付け体を製造できる。
【００３８】
次に，「２．固定工程」では，固定テープ１６０を，電極体１１０と保護部材１５０との組み付け体に巻き付ける。すなわち，電極体１１０と保護部材１５０との組み付け体に，図２に示す矢印Ａの向きに固定テープ１６０に巻き付け，その巻き付けの始端と終端とを接合する。また，固定テープ１６０の巻き付けにおいては，固定テープ１６０の終端側をある程度，引っ張りつつ巻き付ける。固定テープ１６０により，電極体１１０を適度に拘束することで，電極体１１０を固定するためである。
【００３９】
そして，「３．収容工程」を行う。すなわち，収容工程では，固定テープ１６０が巻き付けられた電極体１１０および電解液１０１を，電池ケース１０２の内部に収容する。これにより，電池１００を製造することができる。なお，電極体１１０を電池ケース１０２の内部に収容する前には，電極体１１０の正極タブ１２３および負極タブ１３３にそれぞれ，正極端子１２４および負極端子１３４を接合しておく。
【００４０】
ここで，本形態では，保護部材１５０により，品質の高い電極体１１０を製造することができる。この点について説明する。図４は，電極体１１０の，固定テープ１６０の位置における断面図である。本形態の固定テープ１６０は，電極体１１０の外側に１周，図４に示す矢印Ａの向きに巻き付けられている。
【００４１】
つまり，固定テープ１６０は，固定工程において，電極体１１０の側面１１３から端面１１１，側面１１４，端面１１２，側面１１３の順に巻き付けられている。このため，側面１１３上においては，端面１１２から端面１１１に向けて巻き付けられている。側面１１４上においては，端面１１１から端面１１２に向けて巻き付けられている。
【００４２】
また，本形態では，電極体１１０の側面１１３と端面１１１とが交わる角部１１５における側面１１３上に，保護部材１５０の側面部１５３が配置されている。また，電極体１１０の端面１１２と側面１１４とが交わる角部１１７における側面１１４上に，保護部材１５０の側面部１５４が配置されている。
【００４３】
すなわち，電極体１１０の側面１１３上については，電極体１１０の角部１１５における側面１１３上に保護部材１５０の側面部１５３を配置した状態で，固定テープ１６０を電極体１１０の端面１１２から端面１１１に向けて巻き付けている。また，電極体１１０の側面１１４上については，電極体１１０の角部１１７における側面１１４上に保護部材１５０の側面部１５４を配置した状態で，固定テープ１６０を電極体１１０の端面１１１から端面１１２に向けて巻き付けている。
【００４４】
このため，固定テープ１６０が巻き付けられる際に，電極体１１０の側面１１３のうちの角部１１５の付近は，固定テープ１６０と接触することがない。また，電極体１１０の側面１１４のうちの角部１１７の付近についても，固定テープ１６０が巻き付けられる際に，固定テープ１６０と接触することがない。
【００４５】
ここで，例えば，固定テープ１６０が巻き付けられる際に，その固定テープ１６０が，電極体１１０の側面１１３のうちの角部１１５の付近，または側面１１４のうちの角部１１７の付近に接触した場合，その箇所にめくれが発生するおそれがある。すなわち，電極体１１０の側面１１３，１１４は，積層されている正極板１２０，負極板１３０，セパレータ１４０の端部により構成されている。また，正極板１２０，負極板１３０，セパレータ１４０はいずれも薄いシート状のものであり，個々の曲げ強度はそれほど高いものではない。
【００４６】
このため，例えば，電極体１１０の側面１１３の角部１１５の付近について，側面１１３から端面１１１に向けて固定テープ１６０が巻かれる際に，正極板１２０，負極板１３０，セパレータ１４０の端部付近が曲がりつつ，めくれ上がってしまうおそれがある。また，側面１１４の角部１１７の付近についても同様，側面１１４から端面１１２に向けて固定テープ１６０が巻かれる際に，めくれが発生するおそれがある。
【００４７】
そして，電極体にめくれが生じた場合，そのめくれた箇所は充放電反応にほとんど寄与しない状態となる。充放電反応は，互いに対向する正極板と負極板との間で，これらの間のセパレータに保持されている電解液を介して生じるものだからである。つまり，めくれが生じた電極体によっては，品質の高い電池を製造することはできない。
【００４８】
これに対し，本形態では，電極体１１０の側面１１３の角部１１５の付近，および，側面１１４の角部１１７の付近についてともに，固定テープ１６０と接触することがない。よって，固定テープ１６０が巻かれる際に，角部１１５，１１７において，めくれが発生するおそれはない。
【００４９】
なお，固定テープ１６０を矢印Ａの向きに巻き付ける場合，電極体１１０の端面１１１と側面１１４とが交わる角部１１６については，保護部材はなくてもよい。固定テープ１６０が端面１１１から側面１１４に向けて巻かれるため，角部１１６における正極板１２０，負極板１３０，セパレータ１４０の端部に，これらを端面１１１の外側に向けて曲げる力が作用しないからである。また，電極体１１０の端面１１２と側面１１３とが交わる角部１１８についても同様，固定テープ１６０が端面１１２から側面１１３に向けて巻かれるため，保護部材はなくてもよい。そして，角部１１６および角部１１８については，保護部材がなくても，めくれは発生しない。
【００５０】
これにより，本形態の電極体１１０は，その角部１１５，１１６，１１７，１１８のいずれの箇所においても，固定テープ１６０の巻き付けによるめくれが発生しておらず，充放電時に十分な性能を安定して発揮することができる。
【００５１】
さらには，電極体１１０は，保護部材１５０によってめくれが発生するおそれがないため，固定テープ１６０を強く引っ張りつつ巻き付けることができる。これにより，固定テープ１６０によって，電極体１１０を従来よりも強く拘束することができる。このため，本形態では，固定テープ１６０の拘束力を強くすることにより，電極体１１０における正極板１２０，負極板１３０，セパレータ１４０の位置ズレを従来よりも抑制することができる。
【００５２】
さらに，本形態の保護部材１５０は，図２に示すように，電極体１１０の正極タブ１２３および負極タブ１３３を除いた上側の側面よりも上向きに長さＸだけ突出している押圧部１５２を有している。そして，図５に矢印で示すように，保護部材１５０の押圧部１５２を押し付けることにより，電極体１１０をケース本体１０３の内部に収容することができる。具体的には，電極体１１０の押圧部１５２が突出している上側の側面とは反対の下側の側面をケース本体１０３の開口部１０６へと向け，図５の矢印のように押圧部１５２を押し付けることで，電極体１１０をケース本体１０３に収容することができる。この押し付けのため，保護部材１５０の押圧部１５２についても，正極板１２０などよりも曲げ強度が高いものであることが好ましい。
【００５３】
そして，曲げ強度の低い正極板１２０，負極板１３０，セパレータ１４０の端部により構成されている電極体１１０の上側の側面には力を加えずに，収容工程を行うことができる。これにより，電極体１１０の上側の側面における正極板１２０，負極板１３０，セパレータ１４０のつぶれを抑制することができる。
【００５４】
なお，電極体１１０がケース本体１０３の内部に収容された後，開口部１０６は封口部材１０４が接合されることにより閉じられる。よって，このように保護部材１５０の押圧部１５２の押し付けにより収容工程を行った電池１００では，図１に示すように，電極体１１０が，保護部材１５０の押圧部１５２が突出している側面を封口部材１０４の側に向けて電池ケース１０２内に収容されている。
【００５５】
また，本形態の電極体１１０について，図２に示すように，その側面１１３，１１４上には，正極板１２０，負極板１３０，セパレータ１４０よりも強度の高い保護部材１５０の側面部１５３，１５４が設けられている。よって，電極体１１０の外周面上の保護部材１５０により，電極体１１０にシワ等を生じさせずに，電極体１１０の電池ケース１０２内での位置を決めることもできる。そのため，例えば，ケース本体１０３の対向する内壁同士の距離を，保護部材１５０の対向する外面同士の距離と同程度にしておくことが好ましい。
【００５６】
また，保護部材１５０としては，少なくとも電解液１０１に対する耐性を有するとともに，絶縁性を有するものが好ましい。そのような材質として，例えば，ポリプロピレン（ＰＰ），ポリエチレン（ＰＥ）等が挙げられる。そして，例えば，積層部１５１が電解液１０１を透過しないものである場合，積層部１５１に隣接する正極板１２０または負極板１３０として，積層部１５１に接触する面に正極集電箔１２１または負極集電箔１３１が露出したものを用いることができる。また，保護部材１５０の積層部１５１が電解液１０１を透過しないものである場合には，セパレータ１４０を隣接させることもできる。この場合には，セパレータ１４０の積層部１５１と接触する面とは反対の面に，負極板１３０の負極活物質層１３２が接触するようにしておくことが好ましい。
【００５７】
また，積層部１５１が電解液１０１を透過するものである場合には，積層部１５１に隣接する正極板１２０または負極板１３０として，積層部１５１に接触する面に正極活物質層１２２または負極活物質層１３２が形成されているものを用いることができる。この場合，保護部材１５０の積層部１５１には，電解液１０１を透過させるため，その厚さ方向に貫通する貫通孔を複数，設けておくことができる。また本発明は，電極体１１０が積層方向の端の位置に負極板１３０を積層したものである場合に特に効果がある。負極板１３０としては，容量比の関係などにより，正極板１２０よりも面積の大きなものが用いられがちだからである。すなわち，保護部材１５０を用いずに固定工程を行う場合には，電極体１１０の積層方向の端の角部に位置する負極板１３０の端部に，固定テープ１６０を巻き付けることによるめくれが生じてしまいやすいからである。
【００５８】
以上詳細に説明したように，本形態に係る電極体１１０には，固定テープ１６０が巻き付けられている。固定テープ１６０は，電極体１１０の角部１１５における側面１１３に保護部材１５０の側面部１５３を，角部１１７における側面１１４に保護部材の側面部１５４を配置した状態で，矢印Ａの向きに巻き付けられたものである。これにより，固定テープの巻き付けによる電極板等のめくれが発生していない積層型の電極体を有する二次電池の製造方法および二次電池が実現されている。
【００５９】
［第２の形態］
第２の形態について説明する。第２の形態では，第１の形態とは異なる保護部材を用いる。以下，本形態の電極体および保護部材などについて詳細に説明する。
【００６０】
図６は，本形態に係る電極体２１０の斜視図である。本形態の電極体２１０についても，第１の形態と同様，正極板１２０および負極板１３０を，正極タブ１２３および負極タブ１３３をそれぞれ突出させた状態で，間にセパレータ１４０を挟み込みつつ複数積層してなるものである。
【００６１】
また，本形態の電極体２１０には，第１の形態とは異なる保護部材２５０，２６０が組み付けられている。保護部材２５０，２６０はともに，正極板１２０，負極板１３０，セパレータ１４０のいずれよりも曲げ強度の高いものである。保護部材２５０は電極体２１０の積層方向の一端の端面２１１上に，保護部材２６０は端面２１１とは反対の端面２１２上にそれぞれ配置されている板状の部材である。つまり，本形態の電極体２１０は，積層方向の両側から保護部材２５０，２６０により挟み込まれた状態で，固定テープ２７０，２７１が巻き付けられている。
【００６２】
固定テープ２７０，２７１は，図６に示すように，保護部材２５０，２６０上において交差するようにそれぞれ１周，巻き付けられている。固定テープ２７０は，図６に示す矢印Ｂの向きに１周，巻き付けられ，電極体２１０の右側の側面２１３上において接合され
ている。固定テープ２７１は，図６に示す矢印Ｃの向きに１周，巻き付けられ，電極体
２１０の上側の側面上において接合されている。
【００６３】
本形態の電極体２１０についても，上側の側面より突出している正極タブ１２３および負極タブ１３３をそれぞれ束ねて正極端子１２４および負極端子１３４を接続し，電解液１０１とともに電池ケース１０２に収容することで電池を構成することができる。そして，電極体２１０を収容してなる電池についても，正極端子１２４および負極端子１３４を介し，電極体２１０において，充電および放電を行うことができる。
【００６４】
また，電極体２１０を用いた電池についても，第１の形態と同様の手順により，製造することができる。すなわち，「１．積層工程」では，正極板１２０，負極板１３０，セパレータ１４０を積層することにより電極体２１０を構成する。また，積層工程では，保護部材２５０，２６０をそれぞれ，電極体２１０の端面２１１，２１２上に積層により配置する。
【００６５】
次に，「２．固定工程」では，固定テープ２７０，２７１を巻き付ける。すなわち，保護部材２５０，２６０を所定の位置に配置した電極体２１０の外側に，まず，図６に示す矢印Ｂの向きに固定テープ２７０を巻き付け，その巻き付けの始端と終端とを接合する。次に，図６に示す矢印Ｃの向きに固定テープ２７１を巻き付け，その巻き付けの始点と終端とを接合する。また，電極体２１０を固定するため，固定テープ２７０，２７１の巻き付けにおいてはともに，その終端側をある程度，引っ張りつつ巻き付ける。
【００６６】
続いて，「３．収容工程」を行う。すなわち，収容工程では，固定テープ２７０，２７１が巻き付けられた電極体２１０および電解液１０１を，電池ケース１０２の内部に収容する。これにより，電極体２１０を内部に収容した電池を製造することができる。
【００６７】
そして，本形態においても，保護部材２５０，２６０により，品質の高い電極体２１０を製造することができる。図７は，電極体２１０の，固定テープ２７０の位置における断面図である。本形態の固定テープ２７０は，電極体２１０の外側に１周，矢印Ｂの向きに巻き付けられている。
【００６８】
つまり，固定テープ２７０は，固定工程において，電極体２１０の側面２１３から端面２１１，側面２１４，端面２１２，側面２１３の順に巻き付けられている。このため，側面２１３上においては，端面２１２上から端面２１１上に向けて巻き付けられている。側面２１４上においては，端面２１１上から端面２１２上に向けて巻き付けられている。
【００６９】
本形態の保護部材２５０は，図７に示すように，電極体２１０の角部２１５における端面２１１上に配置されている。また，保護部材２５０は，電極体２１０の側面２１３よりもＹだけ突出している突出部２５２を有している。また，保護部材２６０についても，電極体２１０の角部２１７における端面２１２上に配置されており，電極体２１０の側面２１４よりもＹだけ突出している突出部２６２を有している。
【００７０】
すなわち，電極体２１０の側面２１３上については，角部２１５における端面２１１上に保護部材２５０を配置した状態で固定テープ２７０を，電極体１１０の端面２１２から端面２１２に向けて巻き付けている。また，電極体２１０の側面２１４上については，角部２１７における端面２１２上に保護部材２６０を配置した状態で，固定テープ２７０を電極体２１０の端面２１１から端面２１２に向けて巻き付けている。
【００７１】
このため，固定テープ２７０が巻き付けられる際に，電極体２１０の側面２１３の角部２１５の付近，側面２１４の角部２１７の付近はともに，固定テープ２７０と接触することがない。これにより，本形態においても，電極体２１０の角部２１５，２１７におけるめくれの発生が抑制されている。
【００７２】
なお，固定テープ２７０を矢印Ｂの向きに巻き付ける場合，電極体２１０の角部２１６，２１８については，保護部材はなくてもよい。角部２１６については固定テープ２７０が端面２１１から側面２１４に向けて，角部２１８については固定テープ２７０が端面２１２から側面２１３に向けてそれぞれ巻かれているからである。そして，角部２１６，２１８については，保護部材がなくても，めくれは発生しない。
【００７３】
また，固定テープ２７０と交差するように巻き付けられている図６に示す固定テープ２７１についても同様である。すなわち，保護部材２５０，２６０はそれぞれ，電極体２１０の固定テープ２７１が巻かれている側面上における巻き付けの下流側の角部に，その側面よりもＸだけ突出している突出部２５１，２６１を有している。よって，矢印Ｃの向きの固定テープ２７１の巻き付けにおいても，電極体２１０の角部におけるめくれは発生しない。
【００７４】
よって，本形態の電極体２１０についても，固定テープ２７０，２７１の巻き付けによるめくれが発生しておらず，充放電時に十分な性能を安定して発揮することができる。さらには，電極体２１０は，保護部材２５０，２６０によってめくれが発生するおそれがないため，固定テープ２７０，２７１を強く引っ張りつつ巻き付けることができる。そして，本形態においても，固定テープ２７０，２７１の拘束力を強くすることにより，電極体２１０における正極板１２０，負極板１３０，セパレータ１４０の位置ズレを従来よりも抑制することができる。
【００７５】
さらに，本形態の保護部材２６０は，電極体２１０の正極タブ１２３および負極タブ１３３を除いた上側の側面よりも上向きに長さＸだけ突出している突出部２６１を有している。そして，電極体２１０についても図５において説明した電極体１１０と同様，その下側の側面をケース本体１０３の開口部１０６へと向けた状態で，保護部材２６０の突出部２６１を押し付けることにより，ケース本体１０３の内部に収容することができる。つまり，本形態において，突出部２６１は押圧部である。
【００７６】
これにより，曲げ強度の低い正極板１２０，負極板１３０，セパレータ１４０の端部により構成されている電極体２１０の上側の側面をつぶすことなく，収容工程を行うことができる。なお，このように保護部材２６０の突出部２６１を押し付けることにより収容工程を行った電池においては，電極体２１０は，保護部材２６０の突出部２６１が突出している側面を封口部材１０４の側に向けて電池ケース１０２内に収容されている。
【００７７】
また，本形態では，電極体２１０の端面２１１，２１２に強度の高い保護部材２５０，２６０が設けられている。さらに，強度の高い保護部材２５０，２６０の突出部２５２，２６２は，電極体２１０の側面２１３，２１４よりも突出している。よって，本形態においても，電極体２１０の電池ケース１０２内での位置決めに保護部材２５０，２６０を用いることができる。これにより，電極体２１０の位置決めを，電極体２１０にシワ等を生じさせずに行うことができる。
【００７８】
また，本形態の保護部材２５０，２６０としても，電解液１０１に対する耐性を有するとともに，絶縁性を有するものが好ましく，ＰＰやＰＥを用いることができる。そして，例えば，保護部材２５０，２６０には，電極体２１０のセパレータ１４０を隣接させることができる。あるいは，保護部材２５０，２６０に正極板１２０または負極板１３０を隣接させる場合，正極板１２０または負極板１３０として，保護部材２５０，２６０に接触する面に正極活物質層１２２または負極活物質層１３２が形成されているものを用いることができる。
【００７９】
以上詳細に説明したように，本形態に係る電極体２１０には，固定テープ２７０，２７１が巻き付けられている。固定テープ２７０，２７１は，電極体２１０に保護部材２５０，２６０を配置した状態で，それぞれ矢印Ｂ，Ｃの向きに巻き付けられたものである。これにより，本形態においても，固定テープの巻き付けによる電極板等のめくれが発生していない積層型の電極体を有する二次電池の製造方法および二次電池が実現されている。
【００８０】
なお，上記で説明した保護部材２５０，２６０はともに，電極体２１０の保護する対象の角部において，電極体２１０の側面よりも外側に向けて突出している突出部２５１，２５２，２６１，２６２を有するものである。しかし，保護部材２５０，２６０は，突出部２５１，２５２，２６１，２６２のないものであってもよい。つまり，電極体２１０の端面上の保護部材２５０，２６０は少なくとも，電極体２１０の保護する対象の角部の側面まで延びる部分を有していればよい。固定テープ２７０，２７１の巻き付けにおいて，電極体２１０の保護する対象の角部におけるめくれをある程度抑制することができるからである。
【００８１】
［第３の形態］
第３の形態について説明する。第３の形態では，上記の形態とは異なる保護部材を用いる。以下，本形態の電極体および保護部材などについて詳細に説明する。
【００８２】
図８は，本形態に係る電極体３１０の斜視図である。本形態の電極体３１０についても，上記の形態と同様，正極板１２０および負極板１３０を，正極タブ１２３および負極タブ１３３をそれぞれ突出させた状態で，間にセパレータ１４０を挟み込みつつ複数積層してなるものである。
【００８３】
また，本形態の電極体３１０には，上記の形態とは異なる保護部材３５０，３６０が組み付けられている。保護部材３５０，３６０はともに，正極板１２０，負極板１３０，セパレータ１４０のいずれよりも曲げ強度の高いものである。保護部材３５０は電極体３１０の積層方向の一端の端面３１１上に，保護部材３６０は端面３１１とは反対の端面３１２上にそれぞれ配置されている板状の部材である。つまり，本形態の電極体３１０は，積層方向の両側から保護部材３５０，３６０により挟み込まれた状態で，固定テープ３７０，３７１が巻き付けられている。
【００８４】
固定テープ３７０，３７１は，図８に示すように，保護部材３５０，３６０上において交差するようにそれぞれ１周，巻き付けられている。固定テープ３７０は，図８に示す矢印Ｄの向きに１周，巻き付けられ，電極体３１０の右側の側面３１３上において接合されている。固定テープ２７１は，図８に示す矢印Ｅの向きに１周，巻き付けられ，電極体３１０の上側の側面上において接合されている。
【００８５】
本形態の電極体３１０についても，上側の側面より突出している正極タブ１２３および負極タブ１３３をそれぞれ束ねて正極端子１２４および負極端子１３４を接続し，電解液１０１とともに電池ケース１０２に収容することで電池を構成することができる。そして，電極体３１０を収容してなる電池についても，正極端子１２４および負極端子１３４を介し，電極体３１０において，充電および放電を行うことができる。
【００８６】
また，電極体３１０を用いた電池についても，上記の形態と同様の手順により，製造することができる。すなわち，「１．積層工程」では，正極板１２０，負極板１３０，セパレータ１４０を積層することにより電極体３１０を構成する。また，積層工程では，保護部材３５０，３６０をそれぞれ，電極体３１０の端面３１１，３１２上に積層により配置する。
【００８７】
次に，「２．固定工程」では，固定テープ３７０，３７１を巻き付ける。すなわち，保護部材３５０，３６０を所定の位置に配置した電極体３１０の外側に，まず，図８に示す矢印Ｄの向きに固定テープ３７０を巻き付け，その巻き付けの始端と終端とを接合する。次に，図８に示す矢印Ｅの向きに固定テープ３７１を巻き付け，その巻き付けの始点と終端とを接合する。また，電極体３１０を固定するため，固定テープ３７０，３７１の巻き付けにおいてはともに，その終端側をある程度，引っ張りつつ巻き付ける。
【００８８】
続いて，「３．収容工程」を行う。すなわち，収容工程では，固定テープ３７０，３７１が巻き付けられた電極体３１０および電解液１０１を，電池ケース１０２の内部に収容する。これにより，電極体３１０を内部に収容した電池を製造することができる。
【００８９】
そして，本形態においても，保護部材３５０，３６０により，品質の高い電極体３１０を製造することができる。図９は，電極体３１０の，固定テープ３７０の位置における断面図である。本形態の固定テープ３７０は，電極体３１０の外側に１周，矢印Ｄの向きに巻き付けられている。
【００９０】
つまり，固定テープ３７０は，固定工程において，電極体３１０の側面３１３から端面３１１，側面３１４，端面３１２，側面３１３の順に巻き付けられている。このため，側面３１３上においては，端面３１２上から端面３１１上に向けて巻き付けられている。側面３１４上においては，端面３１１上から端面３１２上に向けて巻き付けられている。
【００９１】
本形態において，電極体３１０の端面３１１上に配置されている保護部材３５０は，図９に示すように，電極体３１０の側面３１３，３１４よりもそれぞれＹだけ突出している突出部３５３，３５４を有している。また，電極体３１０の端面３１２上に配置されている保護部材３６０についても，電極体３１０の側面３１３，３１４よりもそれぞれＹだけ突出している突出部３６３，３６４を有している。
【００９２】
このため，本形態においては，固定テープ３７０が巻き付けられる際に，電極体３１０の側面３１３，３１４はともに，固定テープ３７０と接触することがない。これにより，本形態においても，電極体３１０の角部３１５，３１７におけるめくれの発生が抑制されている。また，本形態においては，電極体３１０の角部３１６，３１８の箇所についても，固定テープ３７０を引っ張りつつ巻き付ける際に，電極体３１０の積層方向の内側に向けて変形してしまうことがない。
【００９３】
また，固定テープ３７０と交差するように巻き付けられている図８に示す固定テープ３７１についても同様である。すなわち，保護部材３５０は，電極体３１０の固定テープ３７１が巻かれている上下の側面よりもそれぞれＸだけ突出している突出部３５１，３５２を有している。保護部材３６０についても，電極体３１０の固定テープ３７１が巻かれている上下の側面よりもそれぞれＸだけ突出している突出部３６１，３６２を有している。よって，矢印Ｅの向きの固定テープ３７１の巻き付けにおいても，電極体３１０の角部におけるめくれは発生しない。
【００９４】
よって，本形態の電極体３１０についても，固定テープ３７０，３７１の巻き付けによるめくれが発生しておらず，充放電時に十分な性能を安定して発揮することができる。さらには，電極体３１０は，保護部材３５０，３６０によってめくれが発生するおそれがないため，固定テープ３７０，３７１を強く引っ張りつつ巻き付けることができる。そして，本形態においても，固定テープ３７０，３７１の拘束力を強くすることにより，電極体３１０における正極板１２０，負極板１３０，セパレータ１４０の位置ズレを従来よりも抑制することができる。
【００９５】
さらに，本形態の保護部材３５０，３６０はそれぞれ，電極体３１０の正極タブ１２３および負極タブ１３３を除いた上側の側面よりも上向きに長さＸだけ突出している突出部３５１，３６１を有している。そして，電極体３１０についても図５において説明した電極体１１０と同様，その下側の側面をケース本体１０３の開口部１０６へと向けた状態で，保護部材３５０，３６０の突出部３５１，３６１を押し付けることにより，ケース本体１０３の内部に収容することができる。つまり，本形態において，突出部３５１，３６１は押圧部である。
【００９６】
これにより，曲げ強度の低い正極板１２０，負極板１３０，セパレータ１４０の端部により構成されている電極体３１０の上側の側面をつぶすことなく，収容工程を行うことができる。なお，このように保護部材３５０，３６０の突出部３５１，３６１を押し付けることにより収容工程を行った電池においては，電極体３１０は，突出部３５１，３６１が突出している上側の側面を封口部材１０４の側に向けて電池ケース１０２内に収容されている。
【００９７】
さらに，本形態の保護部材３５０の突出部３５１，３５２，３５３，３５４はそれぞれ，電極体３１０の側面より突出している。保護部材３６０の突出部３６１，３６２，３６３，３６４についてもそれぞれ，電極体３１０の側面より突出している。また，保護部材３５０の突出部３５１，３５２，３５３，３５４の突出量は，それぞれ同じ向きに突出している保護部材３６０の突出部３６１，３６２，３６３，３６４の突出量と同じである。よって，本形態では，保護部材３５０，３６０により，上記の形態よりも高い精度で，電池ケース１０２内における位置を決めることができる。
【００９８】
また，本形態の保護部材３５０，３６０としても，電解液１０１に対する耐性を有するとともに，絶縁性を有するものが好ましく，ＰＰやＰＥを用いることができる。そして，例えば，保護部材３５０，３６０には，電極体３１０のセパレータ１４０を隣接させることができる。あるいは，保護部材３５０，３６０に正極板１２０または負極板１３０を隣接させる場合，正極板１２０または負極板１３０として，保護部材３５０，３６０に接触する面に正極活物質層１２２または負極活物質層１３２が形成されているものを用いることができる。
【００９９】
以上詳細に説明したように，本形態に係る電極体３１０には，固定テープ３７０，３７１が巻き付けられている。固定テープ３７０，３７１は，電極体３１０に保護部材３５０，３６０を配置した状態で，それぞれ矢印Ｄ，Ｅの向きに巻き付けられたものである。これにより，本形態においても，固定テープの巻き付けによる電極板等のめくれが発生していない積層型の電極体を有する二次電池の製造方法および二次電池が実現されている。
【０１００】
なお，上記の各実施の形態は単なる例示にすぎず，本発明を何ら限定するものではない。従って本発明は当然に，その要旨を逸脱しない範囲で種々の改良，変形が可能である。例えば，上記の第１の形態では，固定テープ１６０は，電極体１１０の外側に１周，巻き付けられているものとして説明した。しかし，図１０に示すように，電極体１１０の端面１１１，１１２上で切れている固定テープ１６１，１６２を用いてもよい。図１０に示すように，固定テープ１６１は，電極体１１０の側面１１３上に，端面１１２から端面１１１にわたって矢印Ｆの向きに巻き付けられている。また，固定テープ１６２は，電極体１１０の側面１１４上に，端面１１１から端面１１２にわたって矢印Ｇの向きに巻き付けられている。固定テープ１６１，１６２の始端および終端はそれぞれ，電極体１１０の端面１１１，１１２に接合されている。そして，このような固定テープ１６１，１６２を用いる場合についても，保護部材１５０により，固定テープ１６１，１６２の巻き付けによる電極体１１０の角部のめくれを防止することができる。
【０１０１】
また，上記の第２の形態についても，固定テープ２７０を，電極体２１０の外周に１周，巻き付けられているものとして説明した。しかし，図１０と同様，図１１に示す固定テープ２７２，２７３を用いることもできる。図１１において，固定テープ２７２は，電極体２１０の側面２１３上に，端面２１２上から端面２１１上にわたって矢印Ｈの向きに巻き付けられている。また，固定テープ２７３は，電極体２１０の側面２１４上に，端面２１１上から端面２１２上にわたって矢印Ｉの向きに巻き付けられている。固定テープ２７２，２７３の始端および終端はそれぞれ，電極体２１０の端面２１１，２１２上の保護部材２５０，２６０に接合されている。そして，このような固定テープ２７２，２７３を用いる場合についても，保護部材２５０，２６０により，固定テープ２７２，２７３の巻き付けによる電極体２１０の角部のめくれを防止することができる。
【０１０２】
また，図１２に示すように，２つの固定テープ４６０，４６１をともに，電極体４１０の端面４１２から端面４１１に向けて巻き付ける場合，第１の形態とは異なる形状の保護部材４５０を用いることができる。図１２に示すように，保護部材４５０は，電極体４１０の積層の間に挟み込まれている積層部４５１と，電極体４１０の側面４１３，４１４上にそれぞれに位置する側面部４５２，４５３とを有している。保護部材４５０の側面部４５２は，積層部４５１の電極体４１０の側面４１３側の端より，電極体４１０の角部４１５まで延びている。保護部材４５０の側面部４５３は，積層部４５１の電極体４１０の側面４１４側の端より，電極体４１０の角部４１６まで延びている。また，固定テープ４６０は，電極体４１０の側面４１３上に，端面４１２から端面４１１にわたって矢印Ｊの向きに巻き付けられている。固定テープ４６１は，電極体４１０の側面４１４上に，端面４１２から端面４１１にわたって矢印Ｋの向きに巻き付けられている。固定テープ４６０，４６１の始端および終端はそれぞれ，電極体４１０の端面４１２，４１１に接合されている。そして，図１２に示す保護部材４５０により，固定テープ４６０，４６１の巻き付けの際の電極体４１０の角部４１５，４１６におけるめくれを防止することができる。なお，角部４１７，４１８については，固定テープ４６０，４６１の巻き付けによるめくれは発生しないため，保護部材はなくてもよい。
【０１０３】
また，２つの固定テープ５６０，５６１をともに，電極体５１０の端面５１２から端面５１１に向けて巻き付ける場合には，図１３に示すような保護部材５５０を用いることもできる。図１３に示すように，保護部材５５０は，電極体５１０の端面５１１に配置されている。そして，保護部材５５０は，電極体５１０の側面５１３，５１４よりそれぞれ突出している突出部５５１，５５２を有している。そして，固定テープ５６０は，電極体５１０の側面５１３上に，端面５１２から端面５１１上にわたって矢印Ｌの向きに巻き付けられている。固定テープ５６１は，電極体５１０の側面５１４上に，端面５１２から端面５１１上にわたって矢印Ｍの向きに巻き付けられている。固定テープ５６０，５６１の始端および終端はそれぞれ，電極体５１０の端面５１２，保護部材５５０に接合されている。そして，図１３に示す保護部材５５０により，固定テープ５６０，５６１の巻き付けの際の電極体５１０の角部５１５，５１６におけるめくれを防止することができる。なお，角部５１７，５１８については，固定テープ５６０，５６１の巻き付けによるめくれは発生しないため，保護部材はなくてもよい。
【０１０４】
また，上記の実施形態においては，いずれも薄い平板状の正極板１２０，負極板１３０，セパレータ１４０を平積みにより積層してなる電極体を有する電池について説明している。しかし，積層型の電極体としては，いずれも平板状のものを平積みにより積層したものに限らず，例えば，正極板，負極板，セパレータのうちの少なくとも１つにつづら折り状のもの用いてこれらを交互に積層した構成のものであっても良い。また例えば，本発明は，リチウムイオン二次電池に限らず，積層型の電極体を有するその他の電池にも適用することができる。
【符号の説明】
【０１０５】
１００  電池
１０１  電解液
１０２  電池ケース
１１０  電極体
１２０  正極板
１３０  負極板
１４０  セパレータ
１５０  保護部材
１６０  固定テープ
【図１】
2016091664.tif 000003
【図２】
2016091664.tif 000004
【図３】
2016091664.tif 000005
【図４】
2016091664.tif 000006
【図５】
2016091664.tif 000007
【図６】
2016091664.tif 000008
【図７】
2016091664.tif 000009
【図８】
2016091664.tif 000010
【図９】
2016091664.tif 000011
【図１０】
2016091664.tif 000012
【図１１】
2016091664.tif 000013
【図１２】
2016091664.tif 000014
【図１３】
2016091664.tif 000015